(57)【要約】      （修正有）【課題】イベントのチケットを読み取り、観覧者にとって必要な情報を表示する仕組みを提供する。【解決手段】情報処理装置は、ユーザの現在位置を取得すると共に、カメラでチケットを撮像し、電子データとして取込み、観覧内容，観覧日時，観覧場所を取得する。取得した観覧内容ががスケジュールに登録されているか否かを判定し、未登録の場合は、スケジュール予定登録画面を表示し、登録済の場合は、サーバから交通経路を取得し、交通経路画面を表示する。【選択図】図５
2017116990.tif 000002
【特許請求の範囲】
【請求項１】
複数の動作モードを備える情報処理装置であって、
ユーザのスケジュールを管理するスケジュール管理手段と、
前記動作モードを切り換える動作モード切換手段と、
チケットを電子データとして取込む取込手段と、
前記取込手段により取込まれた電子データから観覧日時を取得する観覧日時取得手段と、
前記観覧日時取得手段により取得された観覧日時を用いて、前記スケジュール管理手段により管理されているスケジュールに観覧予定を登録するスケジュール登録手段と、
前記観覧日時取得手段により取得された観覧日時を用いて、前記スケジュール管理手段により管理されているスケジュールに当該観覧予定が登録されているか否かを判定するスケジュール登録判定手段と
を備え、
前記動作モード切換手段は、
前記スケジュール登録判定手段により前記スケジュールに当該観覧予定が登録されているかいないかによって、前記動作モードを切り換えること
を特徴とする情報処理装置。
【請求項２】
現在地情報を取得する現在地取得手段と、
前記取込手段により取込まれた電子データから観覧場所情報を取得する観覧場所取得手段と、
前記現在地取得手段により取得された現在地情報と、前記観覧場所取得手段により取得された観覧場所情報とを用いて、観覧場所までの交通経路を取得する交通経路取得手段と
を更に備え、
前記動作モード切換手段は、
前記スケジュール登録判定手段により前記スケジュールに当該観覧予定が登録されていないと判定した場合は、前記スケジュール登録手段によりスケジュールに観覧予定を登録するモードに切り換え、
前記スケジュール登録判定手段により前記スケジュールに当該観覧予定が登録されていると判定した場合は、前記交通経路取得手段により取得された交通経路を表示するモードに切り換えること
を特徴とする請求項１に記載の情報処理装置。
【請求項３】
前記動作モード切換手段は、
前記観覧日時取得手段により取得された観覧日時まで、現在時刻から所定時間以上ある場合は、前記スケジュール登録手段によりスケジュールに観覧予定を登録するモードに切り換え、
前記観覧日時取得手段により取得された観覧日時まで、現在時刻から所定時間以内の場合は、前記交通経路取得手段により取得された交通経路を表示するモードに切り換えること
を特徴とする請求項２に記載の情報処理装置。
【請求項４】
前記動作モード切換手段は、
前記現在地取得手段により取得された現在地情報が、前記観覧場所取得手段により取得された観覧場所情報から所定の範囲内である場合は、前記交通経路取得手段により取得された交通経路を表示するモードに切り換え、
前記現在地取得手段により取得された現在地情報が、前記観覧場所取得手段により取得された観覧場所情報から所定の範囲外である場合は、前記観覧場所取得手段により取得された観覧場所情報に含まれる観覧会場情報と座席位置情報を用いて、前記観覧会場内における前記座席位置を表示するするモードに切り換えること
を特徴とする請求項２または３に記載の情報処理装置。
【請求項５】
撮像部で撮像した画像を管理する撮像画像管理手段と、
前記動作モード切換手段は、
前記観覧日時取得手段により取得された観覧日時が、現在時刻から所定時間以上経過している場合は、前記撮像画像管理手段により管理されている画像を表示するモードに切り換えること
を特徴とする請求項１乃至４のいずれか１項に記載の情報処理装置。
【請求項６】
前記取込手段により取込まれた電子データから観覧内容を取得する観覧内容取得手段と、
前記観覧内容取得手段により取得された観覧内容を用いて、当該観覧内容の結果を取得する結果取得手段とを更に備え、
前記動作モード切換手段は、
前記観覧日時取得手段により取得された観覧日時が、現在時刻から所定時間以上経過している場合は、前記結果取得手段により取得された結果を表示するモードに切り換えること
を特徴とする請求項１乃至５のいずれか１項に記載の情報処理装置。
【請求項７】
複数の動作モードと、ユーザのスケジュールを管理するスケジュール管理手段を備える情報処理装置における処理方法であって、
前記情報処理装置が、
前記動作モードを切り換える動作モード切換ステップと、
チケットを電子データとして取込む取込ステップと、
前記取込ステップにより取込まれた電子データから観覧日時を取得する観覧日時取得ステップと、
前記観覧日時取得ステップにより取得された観覧日時を用いて、前記スケジュール管理手段により管理されているスケジュールに観覧予定を登録するスケジュール登録ステップと、
前記観覧日時取得ステップにより取得された観覧日時を用いて、前記スケジュール管理手段により管理されているスケジュールに当該観覧予定が登録されているか否かを判定するスケジュール登録判定ステップと
を実行し、
前記動作モード切換ステップは、
前記スケジュール登録判定ステップにより前記スケジュールに当該観覧予定が登録されているかいないかによって、前記動作モードを切り換えること
を実行することを特徴とする処理方法。
【請求項８】
複数の動作モードと、ユーザのスケジュールを管理するスケジュール管理手段を備える情報処理装置で実行可能なプログラムであって、
前記情報処理装置を、
前記動作モードを切り換える動作モード切換手段と、
チケットを電子データとして取込む取込手段と、
前記取込手段により取込まれた電子データから観覧日時を取得する観覧日時取得手段と、
前記観覧日時取得手段により取得された観覧日時を用いて、前記スケジュール管理手段により管理されているスケジュールに観覧予定を登録するスケジュール登録手段と、
前記観覧日時取得手段により取得された観覧日時を用いて、前記スケジュール管理手段により管理されているスケジュールに当該観覧予定が登録されているか否かを判定するスケジュール登録判定手段
として機能させ、
前記動作モード切換手段は、
前記スケジュール登録判定手段により前記スケジュールに当該観覧予定が登録されているかいないかによって、前記動作モードを切り換えること
を特徴とするプログラム。
【発明の詳細な説明】
【技術分野】
【０００１】
本発明は、チケットを電子データとして取込む情報処理装置と、その処理方法及びプログラムに関する。
【背景技術】
【０００２】
従来より、出発地から目的地までの交通経路を取得し表示する仕組みがある。
【０００３】
特許文献１には、現在地から目的地までの詳しい経路，交通手段，交通料金，出発時間，乗り換え時間，到着時間を算出する情報処理装置の仕組みが記載されている。
【先行技術文献】
【特許文献】
【０００４】
【特許文献１】特開平９−１９０５９５号公報
【発明の概要】
【発明が解決しようとする課題】
【０００５】
世界的なスポーツ競技などの大規模なイベントは数週間開催されることも多く、熱心なファンは何枚もチケットを購入し、観覧の予定を立てる。また、このような大規模イベントは、複数会場で開催され、観覧内容によって会場が異なる。
よって、観覧のために海外から来訪した外国人にとっては、不慣れな土地で複数会場を訪れることになるため、特許文献１の仕組みがあったとしても、予定を立てたり、必要な交通機関を調べたりすることが大変困難である。
【０００６】
そこで、本発明の目的は、イベントのチケットを読み取り、観覧者にとって必要な情報を表示する仕組みを提供することである。
【課題を解決するための手段】
【０００７】
複数の動作モードを備える情報処理装置であって、ユーザのスケジュールを管理するスケジュール管理手段と、前記動作モードを切り換える動作モード切換手段と、チケットを電子データとして取込む取込手段と、前記取込手段により取込まれた電子データから観覧日時を取得する観覧日時取得手段と、前記観覧日時取得手段により取得された観覧日時を用いて、前記スケジュール管理手段により管理されているスケジュールに観覧予定を登録するスケジュール登録手段と、前記観覧日時取得手段により取得された観覧日時を用いて、前記スケジュール管理手段により管理されているスケジュールに当該観覧予定が登録されているか否かを判定するスケジュール登録判定手段とを備え、前記動作モード切換手段は、前記スケジュール登録判定手段により前記スケジュールに当該観覧予定が登録されているかいないかによって、前記動作モードを切り換えることを特徴とする情報処理装置。
【発明の効果】
【０００８】
本発明によれば、イベントのチケットを読み取り、観覧者にとって必要な情報を表示する仕組みを提供することができる。
【図面の簡単な説明】
【０００９】
【図１】本発明の情報処理システム１００の構成の一例を示す図
【図２】情報処理装置１０１のハードウエア構成の一例を示す図
【図３】情報処理装置１０１の機能構成の一例を示すブロック図
【図４】情報処理装置１０１にて取込むチケットの一例を示す図
【図５】実施形態１の情報処理装置１０１における観覧者向けアプリの処理の一例を示すフローチャート
【図６】実施形態２の情報処理装置１０１における観覧者向けアプリの処理の一例を示すフローチャート
【図７】実施形態３の情報処理装置１０１における観覧者向けアプリの処理の一例を示すフローチャート
【図８】情報処理装置１０１において表示するチケット読取結果画面の一例を示す図
【図９】情報処理装置１０１において表示する各画面の一例を示す図
【発明を実施するための形態】
【００１０】
＜実施形態１＞
以下、図面を参照して本発明の実施形態を詳細に説明する。
【００１１】
図１に示すように、本実施形態に情報処理システム１００は、情報処理装置１０１およびサーバ１０２が、ネットワーク１０３により通信可能に接続された構成をとる。
【００１２】
情報処理装置１０１は、カメラ２１５等を用いてチケットの画像を電子データとして取込む。サーバ１０２は、ニュースなどの情報を配信するサーバである。また、サーバ１０２は、観覧会場の案内図や各観覧会場の観覧座席の配置を記憶する装置である。
【００１３】
なお、本実施形態においては、情報処理装置１０１にて取得したチケットの電子データを読み取り、チケット内容を取得するとしたが、これに限定するものではなく、情報処理装置１０１にて取得したチケットの電子データをサーバ１０２に送信し、サーバ１０２がチケットの内容を読み取った結果を情報処理装置１０１に送信し、情報処理装置１０１でその結果を表示するとしてもよい。
【００１４】
情報処理装置１０１は、デスクトップＰＣ、携帯電話、スマートフォン、タブレット端末、ノートＰＣ、およびＰＤＡ端末などの端末であって、ブラウザまたは情報処理システムのアプリケーションがインストールされており、ＬＡＮや無線通信などのネットワーク１０３を介して、サーバ１０２と通信可能である。
【００１５】
以下、図２を用いて、図１に示した情報処理装置１０１に適用可能なハードウエア構成の一例について説明する。
図２において、２０１はＣＰＵで、システムバス２０４に接続される各デバイスやコントローラを統括的に制御する。また、ＲＯＭ２０３あるいは外部メモリ２１２には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００１６】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１２からＲＡＭ２０２にロードして、該ロードしたプログラムを実行することで各種動作を実現するものである。
【００１７】
また、２０５は入力コントローラで、タッチセンサ２１０からの入力を制御する。２０６はビデオコントローラで、ディスプレイ２１１等の表示器への表示を制御する。なお、図２では、ディスプレイ２１１と記載しているが、表示器はＣＲＴだけでなく、液晶ディスプレイ等の他の表示器であってもよい。これらは必要に応じて情報処理装置１０１のユーザが使用するものである。
【００１８】
２０７はメモリコントローラで、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１２へのアクセスを制御する。
【００１９】
２０８は通信Ｉ／Ｆコントローラで、ネットワーク１０３を介して外部機器と接続・通信するものであり、ネットワークでの通信制御処理を実行する。例えば、ＴＣＰ／ＩＰを用いた通信等が可能である。
【００２０】
なお、ＣＰＵ２０１は、例えばＲＡＭ２０２内の表示情報用領域へアウトラインフォントの展開（ラスタライズ）処理を実行することにより、ディスプレイ２１１上での表示を可能としている。また、ＣＰＵ２０１は、ディスプレイ２１１上のタッチセンサ２１０におけるユーザのタッチ操作指示を受付けることを可能とする。
【００２１】
本発明を実現するための後述する各種プログラムや各種テーブルは、外部メモリ２１２に記録されており、必要に応じてＲＡＭ２０２にロードされ、ＣＰＵ２０１によって実行されるものである。
【００２２】
２０９は撮像画像入力コントローラで、撮像画像入力処理部２１４を介してカメラ２１５からの入力を制御する。カメラ２１５から入力された画像を認識し、撮像することが可能となっている。
２１６は受信機コントローラで、ＧＰＳ受信機２１７を介してＧＰＳアンテナ２１８からの入力を制御する。これにより情報処理装置１０１の位置情報を認識することが可能となっている。
【００２３】
図３は、情報処理装置１０１の機能構成の一例を示すブロック図である。
スケジュール管理部３０１は、ユーザのスケジュールを管理する機能部である。
動作モード切換部３０２は、動作モードを切り換える機能部である。
取込部３０３は、チケットを電子データとして取込む機能部である。
観覧日時取得部３０４は、取込部３０３により取込まれた電子データから観覧日時を取得する機能部である。
【００２４】
スケジュール登録部３０５は、観覧日時取得部３０４により取得された観覧日時を用いて、スケジュール管理部３０１により管理されているスケジュールに観覧予定を登録する機能部である。
【００２５】
スケジュール登録判定部３０６は、観覧日時取得部３０４により取得された観覧日時を用いて、スケジュール管理部３０１により管理されているスケジュールに当該観覧予定が登録されているか否かを判定する機能部である。
【００２６】
動作モード切換部３０２は、スケジュール登録判定部３０６によりスケジュールに当該観覧予定が登録されているかいないかによって、動作モードを切り換える機能部である。
現在地取得部３０７は、現在地情報を取得する機能部である。
観覧場所取得部３０８は、取込部３０３により取込まれた電子データから観覧場所情報を取得する機能部である。
【００２７】
交通経路取得部３０９は、現在地取得部３０７により取得された現在地情報と、観覧場所取得部３０８により取得された観覧場所情報とを用いて、観覧場所までの交通経路を取得する機能部である。
動作モード切換部３０２は、
【００２８】
スケジュール登録判定部３０６によりスケジュールに当該観覧予定が登録されていないと判定した場合は、スケジュール登録部３０５によりスケジュールに観覧予定を登録するモードに切り換え、
【００２９】
スケジュール登録判定部３０６によりスケジュールに当該観覧予定が登録されていると判定した場合は、交通経路取得部３０９により取得された交通経路を表示するモードに切り換える機能部である。
【００３０】
動作モード切換部３０２は、観覧日時取得部３０４により取得された観覧日時まで、現在時刻から所定時間以上ある場合は、スケジュール登録部３０５によりスケジュールに観覧予定を登録するモードに切り換え、観覧日時取得部３０４により取得された観覧日時まで、現在時刻から所定時間以内の場合は、交通経路取得部３０９により取得された交通経路を表示するモードに切り換える機能部である。
【００３１】
動作モード切換部３０２は、現在地取得部３０７により取得された現在地情報が、観覧場所取得部３０８により取得された観覧場所情報から所定の範囲内である場合は、交通経路取得部３０９により取得された交通経路を表示するモードに切り換え、現在地取得部３０７により取得された現在地情報が、観覧場所取得部３０８より取得された観覧場所情報から所定の範囲外である場合は、観覧場所取得部３０８により取得された観覧場所情報に含まれる観覧会場情報と座席位置情報を用いて、観覧会場内における座席位置を表示するするモードに切り換える機能部である。
【００３２】
撮像画像管理部３１０は、撮像部で撮像した画像を管理する機能部である。
動作モード切換部３０２は、観覧日時取得部３０４により取得された観覧日時が、現在時刻から所定時間以上経過している場合は、撮像画像管理部３１０により管理されている画像を表示するモードに切り換える機能部である。
観覧内容取得部３１１は、取込部３０３により取込まれた電子データから観覧内容を取得する機能部である。
結果取得部３１２は、観覧内容取得部３１１により取得された観覧内容を用いて、当該観覧内容の結果を取得する機能部である。
【００３３】
動作モード切換部３０２は、観覧日時取得部３０４により取得された観覧日時が、現在時刻から所定時間以上経過している場合は、結果取得部３１２により取得された結果を表示するモードに切り換える機能部である。
【００３４】
図４は、情報処理装置１０１にて取込むチケット４００の一例を示す図である。
チケット４００には、「観覧内容４０１」「観覧日時４０２」「観覧場所４０３」「観覧座席４０４」「バーコード４０５」「チケット識別情報４０６」が印字されている。
【００３５】
図５は、実施形態１の情報処理装置１０１における観覧者向けアプリ（以下、当アプリと記す）の処理の一例を示すフローチャートである。
図５の処理について説明する。なお、以下のフローチャートの各処理は、情報処理装置１０１のＣＰＵ２０１が行うものとする。
ステップＳ５０１において、情報処理装置１０１のユーザによって行われる観覧者向けアプリの起動およびログインを受け付ける。なお、この観覧者向けアプリは、情報処理装置１０１にインストールされたアプリケーションであってもよいし、ブラウザに表示されるＷｅｂアプリケーションなどのアプリケーションであってもよい。
【００３６】
ステップＳ５０２において、現在地情報を取得する。すなわち、ステップＳ５０２は、現在地情報を取得する処理の一例を示すステップである。具体的には、ＧＰＳアンテナ２１８を用いて、情報処理装置１０１の位置情報を取得する。ここでは、現在地として「東京駅」の位置情報が取得されたとする。
【００３７】
ステップＳ５０３において、カメラ２１５を用いて、チケット４００を撮像し、撮像された画像（以下、チケット画像）を外部メモリ２１２に記憶する。すなわち、ステップＳ５０３は、チケット４００を電子データとして取込む処理の一例を示すステップである。なお、本実施形態においては、情報処理装置１０１のカメラ２１５を用いてチケット画像を取得するとしたが、デジタルカメラなどを用いて撮像されたチケット画像やスキャナーなどを用いてスキャンされたチケット画像を情報処理装置１０１に取込むとしてもよい。
【００３８】
ステップＳ５０４において、チケット画像を読み取る。具体的には、ＯＣＲなどの技術を用いて、チケット４００に記載されている内容を読み取る。ＯＣＲで読み取る場合は、チケットの「日時」「場所」「座席」などのキーワードに続く文字を認識することで、各項目を読み取ってもよいし、チケットの認識領域を項目ごとに外部メモリ２１２に記憶しておき、その認識領域を用いて、各項目を読み取ってもよい。
【００３９】
なお、本実施形態においては、ＯＣＲを用いてチケット画像の内容を読み取るとしたが、これに限定するものではなく、チケット４００に記載されているバーコード４０５やチケット識別情報４０６からチケット内容を読み取る、またはバーコード４０５やチケット識別情報４０６を用いて、サーバ１０２に問い合わせて、チケット４００の内容を取得するなどの方法であってもよい。
【００４０】
ステップＳ５０５において、読み取ったチケット内容から、観覧内容４０１を取得する。すなわち、ステップＳ５０５は、取込まれた電子データから観覧内容を取得する処理の一例を示すステップである。ここでは、観覧内容４０１として「サッカー  決勝戦」が取得されたとする。
【００４１】
ステップＳ５０６において、読み取ったチケット内容から、観覧日時４０２を取得する。すなわち、ステップＳ５０６は、取込まれた電子データから観覧日時４０２を取得する処理の一例を示すステップである。ここでは、観覧日時４０２として「２０２０年８月１１日  １９：００」が取得されたとする。
【００４２】
ステップＳ５０７において、読み取ったチケット内容から、観覧場所４０３を取得する。すなわち、ステップＳ５０７は、取込まれた電子データから観覧場所情報を取得する処理の一例を示すステップである。ここでは、観覧場所４０３として「Ｙスタジアム」が取得されたとする。また、観覧座席４０４も取得する。ここでは、観覧座席４０４として「Ｃブロック  Ａ列  １５番」が取得されたとする。なお、ステップＳ５０２〜ステップＳ５０７にて取得された値を、チケット読取結果画面８１０（図８）として表示し、外部メモリ２１２には外部メモリ記憶内容８２０（図８）のように記憶しておく。
【００４３】
ステップＳ５０８において、ユーザのスケジュールを取得する。具体的には、当アプリのデータとして情報処理装置１０１やサーバ１０２に登録されているスケジュールや、当アプリとは別のシステムに登録されているスケジュールから、ユーザのスケジュールを取得する。ここでは、情報処理装置１０１の外部メモリ２１２にスケジュールテーブル８３０（図８）が管理されているとする。すなわち、スケジュールテーブル８３０は、ユーザのスケジュールを管理する手段の一例である。
【００４４】
ステップＳ５０９において、ステップＳ５０８にて取得したスケジュールに、ステップＳ５０５にて取得した観覧内容の予定が登録されているか否かを判定し、未登録の場合はステップＳ５１０に進み、登録済の場合はステップＳ５１２に進む。すなわち、ステップＳ５０９は、動作モードを切り換える処理の一例を示すステップである。また、ステップＳ５０９は、取得された観覧日時を用いて、管理されているスケジュールに当該観覧予定が登録されているか否かを判定する処理の一例を示すステップである。
【００４５】
これにより、チケットを撮像することで、スケジュール登録または交通経路の表示がされるため、観覧者にとって必要な情報が表示されるため、安心して観覧予定を立て移動することができる。
ステップＳ５１０において、スケジュール予定登録画面を表示する（図９の９１０）。
【００４６】
ステップＳ５１１において、スケジュール予定登録画面を用いて、予定を登録する。すなわち、ステップＳ５１１は、取得された観覧日時を用いて、管理されているスケジュールに観覧予定を登録する処理の一例を示すステップである。具体的には、ステップＳ５０６にて取得した観覧日時の予定として、ステップＳ５０５にて取得した観覧内容、ステップＳ５０７にて取得した観覧場所を登録する。ここでは、「２０２０年８月１１日  １９：００」からの予定として、「サッカー  決勝戦」＠「Ｙスタジアム」を登録する。
【００４７】
ステップＳ５１２において、Ｗｅｂ検索またはサーバ１０２を用いて交通経路を取得し、交通経路画面を表示する（図９の９２０）。ここでは、現在地「東京駅」から目的地「Ｙスタジアム」への交通経路が表示されたとする。すなわち、ステップＳ５１２は、取得された現在地情報と、取得された観覧場所情報とを用いて、観覧場所までの交通経路を取得する処理の一例を示すステップである。
以上で、実施形態１の当アプリの処理の説明を終了する。
以上により、イベントのチケットを読み取り、観覧者にとって必要な情報を表示する仕組みを提供することができる。
【００４８】
＜実施形態２＞
実施形態１は、読み取ったチケット内容が、スケジュールに登録されているか否かによって、モードを切り換える仕組みである。一方、実施形態２は、読み取ったチケットの観戦日時が現在日時から所定時間以内か否かによって、モードを切り換える仕組みである。
【００４９】
図６は、実施形態２の情報処理装置１０１における当アプリの処理の一例を示すフローチャートである。図６の処理について説明する。なお、図５の処理と同じ処理については、同じステップ番号を振り、説明を省略する。
【００５０】
ステップＳ６０１において、ステップＳ５０６にて取得した観覧日時４０２を現在日時と比較し判定する。観覧日時４０２が現在日時よりも所定時間以上前の場合はステップＳ５１０に進み、観覧日時４０２が現在日時から所定時間以内の場合はステップＳ５１２に進み、所定時間以上後の場合はステップＳ６０２に進む。すなわち、ステップＳ６０１は、動作モードを切り換える処理の一例を示すステップである。
【００５１】
例えば、所定時間を３時間とすると、観覧日時４０２は図４から「２０２０年８月１１日１９：００」であるため、現在日時が「２０２０年８月１１日１６：００」以前の間の場合はスケジュール予定登録画面を表示し、現在日時が「２０２０年８月１１日１６：００〜２２：００」の場合は交通経路画面を表示し、現在日時が「２０２０年８月１１日２２：００」以降の場合はユーザ操作を受け付ける。
【００５２】
これにより、チケットを撮像することで、スケジュール登録または交通経路の表示がされるため、観覧者にとって必要な情報が表示されるため、安心して観覧予定を立て移動することができる。
【００５３】
ステップＳ６０２において、ユーザ操作を受け付け、判定する（不図示）。ユーザ操作が「写真表示」の場合はステップＳ６０３に進み、ユーザ操作が「結果表示」の場合はステップＳ６０４に進む。
【００５４】
ステップＳ６０３において、外部メモリ２１２に記憶されている当観覧時の写真を表示する（図９の９３０）。すなわち、外部メモリ２１２は、撮像部で撮像した画像を管理する手段の一例である。これにより、チケットを撮像することで、そのチケットに係る写真が表示されるため、自分で写真フォルダを探して選択することなく、当観覧に関する思い出に素早くアクセスすることができる。
【００５５】
ステップＳ６０４において、当観覧の試合結果を表示する（図９の９４０）。具体的には、観覧内容４０１・観覧日時４０２・観覧場所４０３などのキーワードを用いて、Ｗｅｂ検索を行い、サーバ１０２などからニュースなどの記事を表示する。すなわち、ステップＳ６０４は、取得された観覧内容を用いて、当該観覧内容の結果を取得する処理の一例を示すステップである。これにより、チケットを撮像することで、そのチケットに係る試合結果が表示されるため、自分でキーワードを入力することなく、当観覧に関する結果に素早くアクセスすることができる。
以上で、実施形態２の当アプリの処理の説明を終了する。
以上により、イベントのチケットを読み取り、観覧者にとって必要な情報を表示する仕組みを提供することができる。
【００５６】
＜実施形態３＞
実施形態１は、読み取ったチケット内容が、スケジュールに登録されているか否かによって、モードを切り換える仕組み、実施形態２は、読み取ったチケットの観戦日時が現在日時から所定時間以内か否かによって、モードを切り換える仕組みである。一方、実施形態３は、現在地が観戦場所から所定範囲内か否かによって、モードを切り換える仕組みである。
【００５７】
図７は、実施形態３の情報処理装置１０１における当アプリの処理の一例を示すフローチャートである。図７の処理について説明する。なお、図５の処理と同じ処理については、同じステップ番号を振り、説明を省略する。
【００５８】
ステップＳ７０１において、ステップＳ５０２にて取得した現在地と、ステップＳ５０７にて取得した観覧場所４０３とを比較し判定する。現在地が観覧場所４０３から所定範囲外の場合はステップＳ５１２に進み、所定範囲内の場合はステップＳ７０２に進む。すなわち、ステップＳ７０１は、動作モードを切り換える処理の一例を示すステップである。
【００５９】
例えば、所定範囲を３００ｍとすると、現在地と観覧場所４０３の距離が３００ｍ以上離れている場合は交通経路画面を表示し、３００ｍ以内の場合は観覧会場内の地図を表示する。
【００６０】
ステップＳ７０２において、観覧会場内の座席の位置を表示する（図９の９５０）。具体的には、サーバ１０２から会場の案内図を取得し、その案内図に観覧座席４０４が示す位置に印を重畳する。なお、サーバ１０２には、座席識別情報が、案内図のどの位置に対応するか、記憶しておくことにより、情報処理装置１０１において、図９の９５０を表示することを実現する。なお、本実施形態においては、情報処理装置１０１において、案内図と座席位置の印を重畳するとしたが、これに限定するものではなく、サーバ１０２に観覧場所４０３と観覧座席４０４を送信することで案内図と座席位置の印を重畳した画像を受信する方法等であってもよい。
【００６１】
これにより、チケットを撮像することで、交通経路または座席位置を表示することができるため、不慣れな土地で複数会場を訪れることになったとしても、観覧者にとって必要な情報が表示されるため、安心して移動することができる。
以上により、イベントのチケットを読み取り、観覧者にとって必要な情報を表示する仕組みを提供することができる。
【００６２】
なお、本実施形態においては、チケットを読み取った時の現在日時や現在地を、チケットの内容と比較したが、これに限定するものではなく、チケットを読み取った後、時間が経過したり、場所を移動したりして、現在日時や現在地が変わったことをトリガーにして、当アプリがモードを切り換えるとしてもよい。
【００６３】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００６４】
この場合、記録媒体から読み出されたプログラム自体が本発明の新規な機能を実現することになり、そのプログラムを記録した記録媒体は本発明を構成することになる。
【００６５】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００６６】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００６７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６８】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００６９】
上記プログラムの形態は、オブジェクトコード、インタプリタにより実行されるプログラムコード、ＯＳ（オペレーティングシステム）に供給されるスクリプトデータ等の形態から成ってもよい。
【図１】
2017116990.tif 000003
【図２】
2017116990.tif 000004
【図３】
2017116990.tif 000005
【図４】
2017116990.tif 000006
【図５】
2017116990.tif 000007
【図６】
2017116990.tif 000008
【図７】
2017116990.tif 000009
【図８】
2017116990.tif 000010
【図９】
2017116990.tif 000011